(57)【要約】    【課題】  窓孔の加工が容易で、汚れ難く、而も組立作業性、意匠性に優れたシャッタカーテンのパネル構造を提供する。    【解決手段】  一端部に雌連結部３５を有し、他端部に雄連結部３６を有し、前記雌連結部と前記雄連結部とが平板部３９を介して一体化されたパネル基体３２の、表面側に表パネル部材３３が取付けられ、裏面側に裏パネル部材３４が取付けられた。    【選択図】          図１
2005171492.tif 000002
【特許請求の範囲】
【請求項１】
一端部に雌連結部を有し、他端部に雄連結部を有し、前記雌連結部と前記雄連結部とが平板部を介して一体化されたパネル基体の、表面側に表パネル部材が取付けられ、裏面側に裏パネル部材が取付けられたことを特徴とするシャッタカーテンのパネル構造。
【請求項２】
前記表パネル部材、前記裏パネル部材の少なくとも一方が透明等透光性を有する部材で構成された請求項１のシャッタカーテンのパネル構造。
【請求項３】
前記表パネル部材、前記裏パネル部材が透明等透光性を有する部材で構成され、前記平板部に採光孔が設けられた請求項１のシャッタカーテンのパネル構造。
【請求項４】
前記表パネル部材、前記裏パネル部材の少なくとも一方が透明等透光性を有する部材で構成され、透光性を有するパネル部材と前記パネル基体間に化粧板が設けられた請求項１のシャッタカーテンのパネル構造。
【請求項５】
前記雌連結部、前記雄連結部、前記平板部とは別部品であり、該平板部の一端に前記雌連結部が固着され、前記平板部の他端部に前記雄連結部が固着されて一体化された請求項１のシャッタカーテンのパネル構造。
【発明の詳細な説明】
【技術分野】
【０００１】
本発明は、少なくとも一部がパネルで構成されたシャッタカーテン、特にシャッタカーテンのパネル構造に関するものである。
【背景技術】
【０００２】
建屋等の構築構造物の出入口、窓等の開口部、或は車両のコンテナ、荷台の開口部等を開閉する開閉手段としてシャッタ装置がある。シャッタ装置としては、例えば、シャッタカーテンが天井面に沿って格納されるオーバへッドドアやパネルシャッタ等が挙げられ、斯かるシャッタ装置はパネルが屈曲可能に連結されて構成されたシャッタカーテンを具備している。
【０００３】
図６〜図８によって、オーバヘッドドアの概略を説明する。
【０００４】
建屋等の構築構造物の開口部の両側柱に沿って、垂直ガイドレール１が設けられ、天井に沿って水平ガイドレール２が設けられ、前記垂直ガイドレール１と前記水平ガイドレール２とは湾曲レール３によって連結されている。前記垂直ガイドレール１の上方には水平な巻取シャフト４を具備する開閉装置５が設けられている。
【０００５】
前記垂直ガイドレール１、前記湾曲レール３、前記水平ガイドレール２に沿ってシャッタカーテン６がスライド可能となっており、該シャッタカーテン６は所要数のパネル７が屈曲自在に連結されて構成されている。
【０００６】
前記巻取シャフト４の両端部にはドラム８が設けられ、該ドラム８に巻付けられたワイヤ９が前記シャッタカーテン６の下端部に係着されている。開口部が開かれる場合は、前記開閉装置５により前記巻取シャフト４を介し前記ドラム８が回転されることで前記ワイヤ９が巻取られ、前記シャッタカーテン６が前記垂直ガイドレール１に沿って引上げられ、更に前記水平ガイドレール２に格納される様になっている。
【０００７】
又、開口部が閉じられる場合は、前記開閉装置５により前記巻取シャフト４を介して前記ドラム８が逆方向に回転され、前記ワイヤ９が繰出されて前記シャッタカーテン６が降下され、開口部が閉じられる。
【０００８】
シャッタカーテンの従来のパネル構造として例えば特許文献１がある。図９、図１０により従来のパネル構造について説明する。
【０００９】
前記パネル７はアルミ等の引抜き成形、或は押出し成形により一体成形される。該パネル７は、主に表パネル部１１と裏パネル部１２から成る中空構造であり、中空部１０の中途部に補強用の中間リブ部１３が、前記表パネル部１１と裏パネル部１２間に掛渡されて形成されている。
【００１０】
前記パネル７の上端部に図中、右上部分が欠切された円筒形状（Ｃ形状）の雌連結部１４が形成され、前記パネル７の下端部にフック形状の雄連結部１５が形成され、該雄連結部１５は下側に位置するパネル７の雌連結部１４と回転自在に嵌合する。
【００１１】
前記雄連結部１５の両端には軸１６が嵌着され、該軸１６にガイドローラ１７が回転自在に設けられている。
【００１２】
而して、前記パネル７が所要枚数連結され、前記シャッタカーテン６が形成され、前記ガイドローラ１７が前記垂直ガイドレール１、前記湾曲レール３、前記水平ガイドレール２に回転自在に嵌合し、前記シャッタカーテン６は前記ガイドローラ１７を介して前記垂直ガイドレール１、前記湾曲レール３、前記水平ガイドレール２に案内され、前記垂直ガイドレール１に沿って昇降し、前記湾曲レール３を通過する場合は該湾曲レール３の形状に倣って屈曲し、更に前記水平ガイドレール２に沿って水平移動して格納される。
【００１３】
更に、シャッタカーテンが閉じられた状態で、採光が要求される場合は、明り取り窓がパネルに設けられる。
【００１４】
パネルに窓が設けられた従来のシャッタカーテンのパネル構造として例えば特許文献２があり、図１１により説明する。尚、特許文献２中ではパネルはスラットとして表現されている。
【００１５】
パネル２１は中空断面であり、該パネル２１の上部には上段のパネル２１と連結する上フック部２２を有し、前記パネル２１の下部には下段のパネル２１と連結する下フック部２３を有している。
【００１６】
前記パネル２１の内部天井面には上ガイドリブ２４が形成され、前記パネル２１の内部床面には下ガイドリブ２５が形成されている。前記パネル２１には表面部２１ａ（図１１中凸面部）、裏面部２１ｂを貫通する採光孔２６ａ，２６ｂが穿設され、前記パネル２１の表面部２１ａと前記上ガイドリブ２４、下ガイドリブ２５間にはそれぞれガイド溝２７が形成され、該ガイド溝２７には前記表面部２１ａに沿って摺動する窓板材２８が嵌合される。該窓板材２８には開閉用の摘み２９が設けられている。
【００１７】
而して、前記窓板材２８を移動させることで、前記採光孔２６ａ，２６ｂが開閉される。
【００１８】
上記した従来の窓付パネルでは、前記採光孔２６ａ，２６ｂを形成するのに、前記パネル２１が中空構造であるので、孔明け加工にプレス加工を採用することはできず、ジグソー或はフライス加工等機械加工によっていた。
【００１９】
この為、多くの加工時間が掛り、又加工時に発生する切粉によりパネルが傷付く虞れがあった。又、パネルが大型化すると機械加工に更に時間が掛り、製作コストの低減が難しかった。
【００２０】
又、特許文献２で示される従来のパネル構造では、前記パネル２１内部が前記採光孔２６ａ，２６ｂを通して外部に開放されており、パネル内部に埃、或は雨水が浸入し、内部が汚れる虞れがある。又、内部が汚れた場合、清掃するのが構造上難しい。
【００２１】
更に、前記採光孔２６ａ，２６ｂをパネルの一部に設けた場合は、パネル間の意匠性の統一性が損われる等の問題もあった。
【００２２】
【特許文献１】特開２００３−１３６７４号公報
【００２３】
【特許文献２】特開平１１−２２９７３２号公報
【発明の開示】
【発明が解決しようとする課題】
【００２４】
本発明は斯かる実情に鑑み、窓孔の加工が容易で、汚れ難く、而も組立作業性、意匠性に優れたシャッタカーテンのパネル構造を提供するものである。
【課題を解決するための手段】
【００２５】
本発明は、一端部に雌連結部を有し、他端部に雄連結部を有し、前記雌連結部と前記雄連結部とが平板部を介して一体化されたパネル基体の、表面側に表パネル部材が取付けられ、裏面側に裏パネル部材が取付けられたシャッタカーテンのパネル構造に係り、又前記表パネル部材、前記裏パネル部材の少なくとも一方が透明等透光性を有する部材で構成されたシャッタカーテンのパネル構造に係り、又前記表パネル部材、前記裏パネル部材が透明等透光性を有する部材で構成され、前記平板部に採光孔が設けられたシャッタカーテンのパネル構造に係り、又前記表パネル部材、前記裏パネル部材の少なくとも一方が透明等透光性を有する部材で構成され、透光性を有するパネル部材と前記パネル基体間に化粧板が設けられたシャッタカーテンのパネル構造に係り、更に又前記雌連結部、前記雄連結部、前記平板部とは別部品であり、該平板部の一端に前記雌連結部が固着され、前記平板部の他端部に前記雄連結部が固着されて一体化されたシャッタカーテンのパネル構造に係るものである。
【発明の効果】
【００２６】
本発明によれば、一端部に雌連結部を有し、他端部に雄連結部を有し、前記雌連結部と前記雄連結部とが平板部を介して一体化されたパネル基体の、表面側に表パネル部材が取付けられ、裏面側に裏パネル部材が取付けられたので、表パネル部材、裏パネル部材をパネル基体の表裏に取付けるだけの簡単な構造であり、表パネル部材、裏パネル部材を適宜交換することで外観が変えられ、同一構造で多様なシャッタカーテンのパネルを提供できる。
【００２７】
又、本発明によれば、前記表パネル部材、前記裏パネル部材の少なくとも一方が透明等透光性を有する部材で構成されたので、質感の異なるシャッタカーテンのパネルを提供可能である。
【００２８】
又、本発明によれば、前記表パネル部材、前記裏パネル部材が透明等透光性を有する部材で構成され、前記平板部に採光孔が設けられたので、パネルから採光が可能であり、又パネル自体は密閉構造であるので、内部に埃、雨水等が浸入、溜ることがなく、美観が損われない。
【００２９】
又、本発明によれば、前記表パネル部材、前記裏パネル部材の少なくとも一方が透明等透光性を有する部材で構成され、透光性を有するパネル部材と前記パネル基体間に化粧板が設けられたので、化粧板によりパネルの外観の意匠性が向上し、又化粧板を交換することで外観の変更が容易に可能となる。
【００３０】
更に又、本発明によれば、前記雌連結部、前記雄連結部、前記平板部とは別部品であり、該平板部の一端に前記雌連結部が固着され、前記平板部の他端部に前記雄連結部が固着されて一体化されたので、前記平板部の高さを変更することでパネルの高さ寸法の変更が可能であり、顧客の多様な要求に対応できる等の優れた効果を発揮する。
【発明を実施するための最良の形態】
【００３１】
以下、図面を参照しつつ本発明を実施する為の最良の形態を説明する。
【００３２】
図１〜図３により第１の実施の形態について説明する。
【００３３】
パネル３１は図１中、左側が表面、右側が裏面となっており、前記パネル３１は主にパネル基体３２、表パネル部材３３、裏パネル部材３４から構成され、前記パネル基体３２はアルミ材等から成り、引抜き、或は押出し成形によって製作される。又、前記表パネル部材３３、裏パネル部材３４はアクリル板等の合成樹脂板、金属板、木板等の任意の材質の板が用いられる。
【００３４】
前記パネル基体３２を説明する。
【００３５】
該パネル基体３２の上部にはＣ形状の雌連結部３５が形成され、前記パネル基体３２の下部にはフック形状の雄連結部３６が形成され、該雄連結部３６の上側には中空部３７が連続して形成され、該中空部３７は前記パネル３１に於ける強度部材となっている。前記雄連結部３６と前記中空部３７の下端部との間には、前記雌連結部３５の一部が摺動自在に嵌合する連結溝３８が形成される。前記雌連結部３５と前記中空部３７とは平板部３９によって連結されている。
【００３６】
該平板部３９の上端部表側には表上溝４０が形成され、前記中空部３７の下端部表側には表下溝４１が形成されている。又、前記雌連結部３５の下裏面側には裏上溝４２が形成され、前記中空部３７の上端部裏側には裏下溝４３が形成されている。
【００３７】
前記表パネル部材３３の上端部、下端部にはそれぞれ上薄肉部３３ａ、下薄肉部３３ｂが形成されている。前記表パネル部材３３は、前記上薄肉部３３ａが前記表上溝４０に嵌合し、前記下薄肉部３３ｂが前記表下溝４１に嵌合することで、前記パネル基体３２に取付けられる。前記表パネル部材３３が前記パネル基体３２に取付けられた状態では、前記表パネル部材３３の表面は前記パネル基体３２と面一となる。
【００３８】
前記裏パネル部材３４の上端部、下端部にはそれぞれ上薄肉部３４ａ、下薄肉部３４ｂが形成されている。前記裏パネル部材３４は、前記上薄肉部３４ａが前記裏上溝４２に嵌合し、前記下薄肉部３４ｂが前記裏下溝４３に嵌合することで、前記パネル基体３２に取付けられる。前記裏パネル部材３４が前記パネル基体３２に取付けられた状態では、前記裏パネル部材３４の裏面は前記パネル基体３２と面一となる。
【００３９】
前記表パネル部材３３及び裏パネル部材３４を前記パネル基体３２に取付ける場合は、前記表上溝４０、表下溝４１及び裏上溝４２、裏下溝４３に、前記上薄肉部３３ａ、下薄肉部３３ｂ及び上薄肉部３４ａ、下薄肉部３４ｂの一端部をそれぞれ嵌合させる。前記表パネル部材３３を紙面に対して垂直方向からスライドさせる。又、前記裏パネル部材３４も同様に前記裏上溝４２、裏下溝４３にスライドさせ、前記パネル基体３２に取付ける。前記表パネル部材３３、裏パネル部材３４が前記パネル基体３２に取付けられ、前記パネル３１が構成された後、該パネル３１が雌連結部３５と雄連結部３６との嵌合で上下に連結される。前記連結溝３８の端部を閉塞する様にパネルずれ止部材４４が前記中空部３７の下部に固着される。
【００４０】
尚、表パネル部材３３、裏パネル部材３４の組込み方法について、種々考えられ、例えば表パネル部材３３がアクリル板、或は金属板の様に弾性を有する材質の場合は、表パネル部材３３を湾曲させ、前記上薄肉部３３ａ、下薄肉部３３ｂを前記表上溝４０、表下溝４１に嵌合させる様にしてもよい。或は、前記上薄肉部３３ａと表上溝４０間に上下方向の余裕を形成し、前記上薄肉部３３ａを前記表上溝４０に嵌合させて持上げ、次に前記表パネル部材３３を下げて前記下薄肉部３３ｂを前記表下溝４１に嵌合させる様にしてもよい。
【００４１】
前記パネル３１には、前記表パネル部材３３の上端部、下端部の裏面側と前記パネル基体３２との間で上部間隙４５、下部間隙４６が形成される。
【００４２】
前記表パネル部材３３、裏パネル部材３４の材質を変更し、或は表パネル部材３３、裏パネル部材３４の表面に地模様を形成し、或は表面に印刷等により絵柄、或は絵模様を付してもよい。而して、前記表パネル部材３３、裏パネル部材３４を適宜選択することで、前記パネル基体３２自体を変更することなく、顧客のニーズに応じて多様な外観を有するパネル３１を構成することが可能である。
【００４３】
次に、採光が必要な場合は、前記平板部３９に例えば図３に示される様な採光孔４７，４８を穿設し、前記表パネル部材３３、裏パネル部材３４の材質を透明、略透明或は半透明の合成樹脂板とする。図３に示される様に、前記採光孔４７，４８を三日月形、星形とする等、形状、配置に工夫を凝らせば、採光孔自体がパネルの意匠性を向上させる。又、前記表パネル部材３３、裏パネル部材３４を色が濃いものとし、或はスモーク調の材質とすると、外部からは内部が透視できず、内部からは前記採光孔４７，４８が光で浮上がる等の効果が得られる。
【００４４】
尚、前記平板部３９に前記採光孔４７，４８を形成する場合は、平板に孔加工することとなり、加工性に優れたプレス加工の採用が可能であり、加工コストの低減が可能である。
【００４５】
上記したパネル３１は、表面、裏面とも凹凸のない、内部が密閉された構造となるので、埃等で汚れることがなく、清掃も簡単であり、常時美観を維持することが可能である。
【００４６】
尚、前記表パネル部材３３、裏パネル部材３４は前記パネル基体３２の溝に嵌込まれる様にしたが、螺子、リベット等の固着具により前記パネル基体３２に取付ける様にしてもよい。
【００４７】
図４は、第２の実施の形態を示しており、図中、図１中で示したものと同一のものには同符号を付してある。又、第２の実施の形態に於いて、基本的な構造は第１の実施の形態と同様であるので説明を省略する。
【００４８】
第２の実施の形態では、少なくとも表パネル部材３３を透明板とし、該表パネル部材３３の裏面側に化粧板５０を設けたものである。
【００４９】
該化粧板５０は、前記表パネル部材３３とパネル基体３２間に形成される上部間隙４５、下部間隙４６に上端部、下端部が挿入されて、保持される。中空部３７の下端部に取付けられるパネルずれ止部材４４は一部が前記下部間隙４６の下端部を覆う形状となっており、前記化粧板５０のずれ（紙面に対して垂直方向のずれ）が防止される。
【００５０】
前記化粧板５０には白又は所要の色彩が施され、或は印刷等により絵柄、或は絵模様が施される。尚、採光が必要な場合は、前記平板部３９に採光孔を穿設し、前記化粧板５０にも前記平板部３９の採光孔に重なる様に採光孔を穿設すればよい。又、この場合、前記平板部３９と前記化粧板５０の採光孔の形状は同一である必要はなく、前記平板部３９には大きめの例えば矩形の採光孔を穿設し、前記化粧板５０には該採光孔に重なる例えば採光孔４７，４８を穿設してもよい。
【００５１】
前記化粧板５０を設けることで、外観の変更が容易となり、デザインの異なる化粧板５０を定期的に交換することで、模様替えを低コストで実施できる。更に、化粧板５０には広告を表示することも可能であり、化粧板５０に絵画の一部を表示し、全ての化粧板で壁画が構成される様にしてもよい。
【００５２】
尚、前記化粧板５０は、前記パネル基体３２の裏面側に設けても、或は該パネル基体３２の表面側、裏面側の両方に設けられてもよい。
【００５３】
図５は第３の実施の形態を示しており、図５中、図１、図２中で示したものと同等のものには同符号を付し、その説明を省略する。
【００５４】
該第３の実施の形態では、第１の実施の形態で示したパネル基体３２を雌連結部３５、平板部３９、雄連結部３６を含む中空部３７との３分割構造としたものである。前記雌連結部３５は下端部に連結部３５ａが形成され、前記中空部３７は上端部に連結部３７ａが形成されており、前記平板部３９は上端部に被連結部３９ａ、下端部に被連結部３９ｂが形成されている。
【００５５】
前記被連結部３９ａに前記連結部３５ａが重合され、ボルト等の固着具５１で連結され、前記被連結部３９ｂに前記連結部３７ａが重合され、ボルト等の固着具５１で連結されることで、前記雌連結部３５と前記平板部３９と前記中空部３７とがパネル基体３２として一体化する。
【００５６】
本実施の形態では、前記平板部３９の上端部、下端部の形状を共通にすれば、前記平板部３９の全高を変更可能とすることで、パネル３１の高さ寸法の変更が可能である。従って、全高の異なる平板部３９を複数種用意しておけば、前記雌連結部３５と前記中空部３７とを共通部品として低コストで高さの異なるパネルを製作可能である。
【００５７】
尚、前記雌連結部３５と前記平板部３９と前記中空部３７とがパネル基体３２として一体化した後の、表パネル部材３３、裏パネル部材３４の組立、採光が必要な場合等については第１の実施の形態と同様であるので、説明を省略する。
【００５８】
尚、本発明に於いて、パネルで構成されたカーテン部と他の部材、例えば、パイプやシート、ネット等にて構成されたカーテン部との組合わせ連結にてシャッタカーテンを構成する様にしてもよい。
【００５９】
又、パネルを屈曲自在に連結してシャッタカーテンを構成したシャッタ装置として説明したが、パネル同士が折畳み自在に連結して構成されたシャッタカーテンや分離・連結自在に構成されたシャッタカーテンとしたシャッタ装置でもよい。
【００６０】
又、表面側や表、裏面側や裏とは相対的なものであって利用目的等に応じて任意に決定すればよい。
【図面の簡単な説明】
【００６１】
【図１】本発明の第１の実施の形態を示す立面図である。
【図２】同前本発明の第１の実施の形態を示す分解図である。
【図３】同前本発明の第１の実施の形態を示す部分正面図である。
【図４】本発明の第２の実施の形態を示す立面図である。
【図５】本発明の第３の実施の形態を示す分解図である。
【図６】オーバヘッドドアの概略側面図である。
【図７】オーバヘッドドアの概略正面図である。
【図８】オーバヘッドドアの開閉装置の概略図である。
【図９】従来のシャッタカーテンの要部斜視図である。
【図１０】従来のシャッタカーテンのパネル構造を示す側断面図である。
【図１１】従来の他のシャッタカーテンのパネル構造を示す側断面図である。
【符号の説明】
【００６２】
３１            パネル
３２            パネル基体
３３            表パネル部材
３４            裏パネル部材
３５            雌連結部
３６            雄連結部
３７            中空部
３９            平板部
４４            パネルずれ止部材
４５            上部間隙
４６            下部間隙
５０            化粧板
【図１】
2005171492.tif 000003
【図２】
2005171492.tif 000004
【図３】
2005171492.tif 000005
【図４】
2005171492.tif 000006
【図５】
2005171492.tif 000007
【図６】
2005171492.tif 000008
【図７】
2005171492.tif 000009
【図８】
2005171492.tif 000010
【図９】
2005171492.tif 000011
【図１０】
2005171492.tif 000012
【図１１】
2005171492.tif 000013